(57)【特許請求の範囲】
【請求項１】
受け枠に排水蓋が取り付けられた排水蓋の取付構造であって、
前記排水蓋は板状の蓋本体と、この蓋本体の裏面に設けられた挿入筒とからなり、この挿入筒は下方に行くに従って外径が次第に小さくなされた筒状体であり、前記受け枠は筒状の受け枠本体と、この受け枠本体の上端部に設けられた前記蓋本体を挿入する挿入口と、該挿入口の下方に中心方向に突出した起立部と、この起立部から下方に突出した合成樹脂製の筒状の嵌合筒からなり、該嵌合筒と受け枠本体との間に環状隙間を有し、この嵌合筒には縦方向に切欠された複数の切欠部が設けられ、嵌合筒の内周面は前記挿入筒の外周面とほぼ同じ大きさと、嵌合筒が変形可能な寸法だけ挿入筒の外周面を小さくした大きさとの間の大きさであり、挿入筒の外周面と嵌合筒の内周面のどちらか一方に突起が設けられ、他方にこの突起に嵌合する窪みが設けられて、受け枠の嵌合筒に排水蓋の挿入筒が嵌合された状態になって排水蓋が受け枠に取り付けられていることを特徴とする排水蓋の取付構造。
【発明の詳細な説明】
【０００１】
【発明の属する技術分野】
本発明は排水枡やマンホール等に取り付けられる排水蓋の取付構造に関する。
【０００２】
【従来の技術】
従来、排水枡やマンホールに使用する排水蓋は、板状の蓋本体と、この蓋本体の裏側に筒状に突出した挿入筒とからなっている。又、この排水蓋を取り付ける排水枡やマンホールの排水蓋を取り付ける受け枠は筒状の枠体となっている。そして、排水枡やマンホール等の排水蓋の取付構造は、実開平６−３０２９３号公報に記載あるように、筒状の枠体である受け枠の中に排水蓋の挿入筒を挿入した状態にして排水蓋を受け枠に取り付けて使用する。
【０００３】
【発明が解決しようとする課題】
上記のようにして排水蓋を受け枠に取り付けて使用しているときに、排水蓋の挿入筒の外径が受け枠の内径より小さいと、排水蓋が移動して危険であるし、反対に、挿入筒の外形が受け枠の内径より大きいと、挿入筒が受け枠の中に所定位置まで充分挿入できないという問題がある。そして、排水蓋や受け枠を製造する際の誤差や歪み等で受け枠の内径を挿入筒の外形に等しくすることが困難であるので、従来では、挿入筒の外径を受け枠の内径より若干小さくして製造し、ある程度移動することを容認していた。
【０００４】
しかし、排水蓋が移動が危険であるので、業界では、排水蓋を受け枠に取り付けたときに排水蓋が移動しないように取り付けることのできる排水蓋の取付構造に対する要望が大きい。
この問題を解決する構造としては、排水蓋と受け枠の間にスペーサーを挟むことが考えられるが、スペーサーを別に製造することは不便であるし高価になるという問題がある。
そこで、本発明の目的は、排水蓋や受け枠を製造する際の誤差や歪み等で寸法が異なっていても排水蓋が移動しないように取り付けることができる安価な排水蓋の取付構造を提供することである。
【０００５】
【課題を解決するための手段】
本発明は上記目的を達成するためになされたものであって、請求項１記載の発明は、受け枠に排水蓋が取り付けられた排水蓋の取付構造であって、前記排水蓋は板状の蓋本体と、この蓋本体の裏面に設けられた挿入筒とからなり、この挿入筒は下方に行くに従って外径が次第に小さくなされた筒状体であり、前記受け枠は筒状の受け枠本体と、この受け枠本体の上端部に設けられた前記蓋本体を挿入する挿入口と、該挿入口の下方に中心方向に突出した起立部と、この起立部から下方に突出した合成樹脂製の筒状の嵌合筒からなり、該嵌合筒と受け枠本体との間に環状隙間を有し、この嵌合筒には縦方向に切欠された複数の切欠部が設けられ、嵌合筒の内周面は前記挿入筒の外周面とほぼ同じ大きさと、嵌合筒が変形可能な寸法だけ挿入筒の外周面を小さくした大きさとの間の大きさであり、挿入筒の外周面と嵌合筒の内周面のどちらか一方に突起が設けられ、他方にこの突起に嵌合する窪みが設けられて、受け枠の嵌合筒に排水蓋の挿入筒が嵌合された状態になって排水蓋が受け枠に取り付けられているものである。
【０００７】
請求項１記載の発明における合成樹脂とは、ポリ塩化ビニル樹脂、ポリエチレン樹脂等の熱可塑性樹脂や、ポリエステル樹脂、ポリウレタン樹脂等の熱硬化性樹脂を含むものである。この合成樹脂は金属より柔軟であって力を加えると変形し易く、しかも、力を取り除くと元の形状に戻ろうとする弾性を有する。
【０００８】
請求項１記載の発明では、嵌合筒の内周面は前記挿入筒の外周面とほぼ同じ大きさと、嵌合筒が変形可能な寸法だけ挿入筒の外周面を小さくした大きさとの間の大きさになっているが、この嵌合筒が変形可能な寸法とは、嵌合筒が合成樹脂製で弾性を有し比較的変形し易く、しかも、変形し易いように、縦方向に切欠された複数の切欠部が設けられているので、嵌合筒の厚み等でこの嵌合筒の変形量を調節して、この変形量を排水蓋や受け枠を製造する際の誤差や歪み等で変形する量より大きくした寸法である。
【０００９】
また、挿入筒の外周面と嵌合筒の内周面のどちらか一方に突起が設けられ、他方にこの突起に嵌合する窪みが設けられているが、この嵌合筒と窪みは所々に斑点状に設けられていてもよいし、周方向に筋状に設けられていてもよい。
【００１０】
（作用）
請求項１記載の発明における嵌合筒の内周面は前記挿入筒の外周面とほぼ同じ大きさと、嵌合筒が変形可能な寸法だけ挿入筒の外周面を小さくした大きさとの間の大きさであるから、受け枠の嵌合筒に排水蓋の挿入筒が嵌合された状態にして排水蓋を受け枠に取り付けると、排水蓋や受け枠を製造する際の誤差や歪み等で変形しても、受け枠の嵌合筒の中に排水蓋の挿入筒が密着して嵌合する。従って、排水蓋が移動することがない。
【００１１】
この理由を次に説明する。
即ち、嵌合筒の内周面は挿入筒の外周面とほぼ同じ大きさと嵌合筒が変形可能な寸法だけ挿入筒の外周面を小さくした大きさとの間の大きさであるので、先ず、嵌合筒の内周面が最も小さい（嵌合筒が変形可能な寸法だけ挿入筒の外周面を小さくした大きさ）場合について説明する。
【００１２】
挿入筒は下方に行くに従って外径が次第に小さくなされた筒状体であり、嵌合筒の内周面は嵌合筒が変形可能な寸法（極めて小さい）だけ挿入筒の外径を小さくした大きさであるから、挿入筒の下端は嵌合筒の上端より小さい。
従って、挿入筒を嵌合筒の中に挿入すると、最初は簡単に、挿入筒の下端部を嵌合筒の上端部に挿入できる。
【００１３】
更に挿入すると、挿入筒が変形可能な寸法だけ挿入筒の外周面を小さくした大きさであるから、挿入筒が嵌合筒の所定の位置まで挿入する前に、挿入筒の外周面が嵌合筒の内周面に当接する。
しかし、請求項１記載の発明では、受け枠は筒状の受け枠本体と、この受け本体の上端部に設けられた前記蓋本体を挿入する挿入口と、該挿入口の下方に中心方向に突出した起立部と、この起立部から下方に突出した嵌合筒からなり、更にこの嵌合筒と受け枠本体との間に環状隙間を有する。換言すると嵌合筒が外方向に変形するだけの環状隙間がある。しかも、嵌合筒は比較的変形し易い合成樹脂製であるし、変形し易いように、縦方向に切欠された複数の切欠部が設けられているから、嵌合筒は外方向に変形し易い構造になっている。
【００１４】
従って、その後、排水蓋を強く受け枠の中に押すと、排水蓋の挿入筒が嵌合筒を押して外方向に変形させながら受け枠の嵌合筒の中に入ると同時に、合成樹脂の嵌合筒が元の状態に戻ろうとする弾性によって、挿入筒を外側から押した状態になって、挿入筒が嵌合筒に密着して嵌合する。
【００１５】
次に、嵌合筒の内周面が最も大きい（挿入筒の外周面とほぼ同じ大きさ）場合について説明する。
嵌合筒の内周面が挿入筒の外周面とほぼ同じ形状である場合には、挿入筒を嵌合筒の中に挿入すると、嵌合筒が変形しなくとも、簡単に受け枠の嵌合筒の中に排水蓋の挿入筒が入り、受け枠に挿入筒が密着して嵌合する。
【００１６】
このようになっているので、排水蓋や受け枠を製造する際の誤差や歪み等で変形する寸法変化の傾向を把握して、嵌合筒の内周面の寸法変化を挿入筒の外周面とほぼ同じ大きさと、嵌合筒が変形可能な寸法だけ挿入筒の外周面を小さくした大きさとの間の大きさとの間にあるようにすることにより、受け枠の嵌合筒の中に排水蓋の挿入筒を密着させて嵌合させることができ、従って、排水蓋が移動しない状態に取り付けられるのである。
【００１７】
この請求項１記載の発明では、嵌合筒に縦方向に切欠された複数の切欠部が設けられているから、排水蓋を受け枠に挿入する際に、排水蓋の下端が切欠部に引っ掛かることなく挿入できるのである。また、排水蓋に切欠部を設けていると、作業中、うっかり排水蓋を落としてしまった場合等に、挿入筒の先端部を破損しやすいが、本発明のように構成すれば、かかる問題が発生しないのである。
【００１８】
また、挿入筒の外周面と嵌合筒の内周面のどちらか一方に突起が設けられ、他方にこの突起に嵌合する窪みが設けられているから、受け枠の嵌合筒の中に排水蓋の挿入筒が入ると、突起が窪みに入って、強固に排水蓋が受け枠に取り付けられる。
【００１９】
【発明の実施の形態】
図１〜図３は本発明の一実施例を示すもので、図１は排水蓋が受け枠に取り付けられた状態の一部切り欠いた要部を示す説明図、図２は排水蓋の一部切欠側面図、図３は受け枠の一部切り欠いた要部を示す説明図である。
【００２０】
図１〜図３において、１は合成樹脂製の排水蓋であり、この排水蓋１は、図２に示すように、円盤状の蓋本体１１とこの蓋本体１１の裏面に設けられた挿入筒１２とからなる。
そして、この挿入筒１２の外周面は下方に行くに従って外径が次第に小さくなっている円筒体であり、この挿入筒１２の外周面には球面状に窪んだ窪み１５が円周方向に設けられている。又、挿入筒１２の外周面上部には周方向に溝１３が設けられ、この溝１３には環状のシール材２が取り付けられている。
【００２１】
３は合成樹脂製の排水枡の受け枠であり、この受け枠３は、筒状の受け枠本体３１と、この受け枠本体３１の上端部に設けられた排水蓋１の蓋本体１１を挿入する挿入口３２と、この挿入口３２の下方に中心方向に突出した起立部３３と、この起立部３３から下方に突出した嵌合筒３４とからなる。
【００２２】
この嵌合筒３４の内周面は挿入筒１２の外周面とほぼ同じ大きさと、嵌合筒３４が変形可能な寸法だけ挿入筒１２の外周面を小さくした大きさとの間の大きさになっている。又、嵌合筒３４の内周面には球面状に突出した突起３５が複数個設けられている。この突起３５は、排水蓋１の挿入筒１２を受け枠３の嵌合筒３４に挿入したときに、挿入筒１２の外周面に設けられている窪み１５に入る位置に設けられている。
又、この嵌合筒３４には縦方向に切欠された複数の切欠部４が設けられている。
【００２３】
次に、この排水蓋１の取付方法および作用について説明する。
受け枠３の嵌合筒３４の中に排水蓋１の挿入筒１２を挿入しながら受け枠３に排水蓋１を取り付ける。
すると、嵌合筒３４の内周面は挿入筒１２の外周面とほぼ同じ大きさと、嵌合筒３４が変形可能な寸法だけ挿入筒１２の外周面を小さくした大きさとの間の大きさであるから、受け枠３の嵌合筒３４に排水蓋１の挿入筒１２を挿入しながら排水蓋１を受け枠３に取り付けると、排水蓋１や受け枠３を製造する際の誤差や歪み等で変形しても、受け枠３の嵌合筒３４の中に排水蓋１の挿入筒１２が密着して嵌合する。従って、排水蓋１が移動することがない。
【００２４】
この理由を次に説明する。
即ち、嵌合筒３４の内周面は挿入筒１２の外周面とほぼ同じ大きさと、嵌合筒３４が変形可能な寸法だけ挿入筒１２の外周面を小さくした大きさとの間の大きさであるので、先ず、嵌合筒３４の内周面が最も小さい（嵌合筒３４が変形可能な寸法だけ挿入筒１２の外周面を小さくした大きさ）場合について説明する。
【００２５】
挿入筒１２は下方に行くに従って外径が次第に小さくなされた筒状体であり、嵌合筒３４の内周面は嵌合筒３４が変形可能な寸法（極めて小さい）だけ挿入筒１２の外周面を小さくした大きさであるから、挿入筒１２の下端は嵌合筒３４の上端より小さい。
従って、挿入筒１２を嵌合筒３４の中に挿入すると、最初は簡単に、挿入筒１２の下端部を嵌合筒３４の上端部に挿入できる。
【００２６】
更に挿入すると、嵌合筒３４が変形可能な寸法だけ挿入筒１２の外周面を小さくした大きさであるから、挿入筒１２が嵌合筒３４の所定の位置まで挿入する前に、挿入筒１２の外周面が嵌合筒３４の内周面に当接する。
しかし、受け枠３は筒状の受け枠本体３１と、この受け本体３１の上端部に設けられた前記蓋本体を挿入する挿入口と、該挿入口の下方に中心方向に突出した起立部３２と、この起立部３２から下方に突出した嵌合筒３４からなるから、嵌合筒３４と受け枠本体３１との間に環状隙間５を有する。換言すると
嵌合筒３４が外方向に変形するだけの環状隙間がある。しかも、嵌合筒３４は比較的変形し易い合成樹脂製であるし、変形し易いように、縦方向に切欠された複数の切欠部４が設けられているから、嵌合筒３４は外方向に変形し易い構造になっている。
【００２７】
従って、その後、排水蓋１を強く受け枠の中に押すと、排水蓋１の挿入筒１２が嵌合筒３４を押して外方向に変形させながら受け枠３の嵌合筒３４の中に入り、蓋本体１１が挿入口３２の中の所定位置に入り、突起３５が窪み１５の中に入ると同時に、合成樹脂製の嵌合筒３４が元の状態に戻ろうとする弾性によって挿入筒を外側から押した状態になって、挿入筒１２が嵌合筒３４に密着して嵌合する。
【００２８】
次に、嵌合筒３４の内周面が最も大きい（挿入筒の外周面とほぼ同じ大きさ）場合について説明する。
嵌合筒３４の内周面が挿入筒１２の外周面とほぼ同じ形状である場合には、挿入筒１２を嵌合筒３４の中に挿入すると、嵌合筒３４が変形しなくとも、簡単に受け枠３の嵌合筒３４の中に入り、蓋本体１１が挿入口３２の中の所定位置に入り、突起３５が窪み１５の中に入ると同時に、排水蓋１の挿入筒１２が嵌合筒３４に密着して嵌合する。
【００２９】
そして、排水蓋１や受け枠３を製造する際の誤差や歪み等で変形する寸法変化の傾向を把握して、嵌合筒３４の内周面の寸法変化を挿入筒１２の外周面とほぼ同じ大きさと、嵌合筒３４が変形可能な寸法だけ挿入筒１２の外周面を小さくした大きさとの間の大きさとの間にあるようになっているので、受け枠３の嵌合筒３４の中に排水蓋１の挿入筒１２を密着させて嵌合させることができ、従って、排水蓋１が移動しない状態に取り付けられるのである。
更に、突起３５が窪み１５の中に入り、更に排水蓋１が移動し難くなっている。
又、従来、排水蓋１に切欠部を設けていると、取り付け作業中にうっかり排水蓋１を落としてしまった場合等、挿入筒１２が外側に露出していることから、その先端部を破損してしまうことがあるが、この実施例では、嵌合筒３４の方に縦方向に切欠された複数の切欠部４が設けられているから、受け枠３をうっかり落としてしまっても、受け枠本体３１で保護されるため、破損することがほとんどない。
又、排水蓋１と受け枠３との間にシール材２が挟まれ、この部分が水密に接続される。
【００３０】
【発明の効果】
請求項１記載の発明では、嵌合筒の内周面は前記挿入筒の外周面とほぼ同じ大きさと、嵌合筒が変形可能な寸法だけ挿入筒の外周面を小さくした大きさとの間の大きさであるから、排水蓋や受け枠を製造する際の誤差や歪み等で寸法がことなっていても、受け枠の嵌合筒の中に排水蓋の挿入筒を密着させて嵌合させることができ、従って、排水蓋を移動しなくなり安心である。
又、請求項１記載の発明では、スペーサー等を使用しないので安価である。
又、請求項１記載の発明では、嵌合筒に縦方向に切欠された複数の切欠部が設けられているから、排水蓋を受け枠に挿入する際に、排水蓋の下端が切欠部に引っ掛かることなく挿入できるのであるので便利である。
さらに、排水蓋の落下による挿入筒先端の破損もほとんどない。
【００３１】
また、挿入筒の外周面と嵌合筒の内周面のどちらか一方に突起が設けられ、他方にこの突起に嵌合する窪みが設けられているから、受け枠の嵌合筒の中に排水蓋の挿入筒が入ると、突起が窪みに入って、強固に排水蓋が受け枠に取り付けられる。
【図面の簡単な説明】
【図１】  本発明の一実施例を示すもので、排水蓋が受け枠に取り付けられた状態の一部切り欠いた要部を示す説明図である。
【図２】  排水蓋の一部切欠側面図である。
【図３】  受け枠の一部切り欠いた要部を示す説明図である。
【符号の説明】
１              排水蓋
１１            蓋本体
１２            挿入筒
１５            窪み
３              受け枠
３１            受け枠本体
３３            起立部
３４            嵌合筒
３５            突起
４              切欠部
５ 環状隙間
【図１】
0003848436.tif 000002
【図２】
0003848436.tif 000003
【図３】
0003848436.tif 000004